【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
ネットワークを介して少なくとも１つの受信装置へパケットを送信可能な送信装置であって、
前記送信すべきパケットの送信方式がマルチキャストとユニキャストの何れであるかを判断する判断手段と、
前記マルチキャストであると判断された場合に、前記送信中に前記パケットに発生し得るエラーを前記受信装置に訂正させるためのエラー訂正符号を前記パケットに付加し、前記ユニキャストであると判断された場合に、前記受信装置に前記エラーを検出させ当該送信装置へ前記パケットの再送要求信号を送信させるためのエラー検出符号を前記パケットに付加する符号付加手段と、
前記エラー訂正符号またはエラー検出符号が付加されたパケットを前記受信装置へ送信する送信手段と
を具備する送信装置。
【請求項２】
請求項１に記載の送信装置であって、
前記パケットは、ヘッダ部分と、前記エラー訂正符号を含むデータ部分とで構成され、
前記送信手段は、前記判断手段によりマルチキャストであると判断された場合に、前記パケットのうち前記データ部分を第１のエラー発生率を有する第１の変調方式により変調し、前記ヘッダ部分を前記第１のエラー発生率よりも低い第２のエラー発生率を有する第２の変調方式により変調する変調手段を有する
送信装置。
【請求項３】
請求項２に記載の送信装置であって、
前記判断手段によりユニキャストであると判断された場合に、前記送信手段により前記受信装置へ送信されたパケットにエラーが発生したか否かを示すエラー情報を記録する記録手段を更に具備し、
前記エラー訂正符号は、前記受信装置において第１の周期でエラー訂正が行われるように付加されており、
前記変調手段は、
前記記録されたエラー情報を基に前記エラーが発生した第２の周期を算出し、前記第１の周期と当該第２の周期とを比較する比較手段と、
前記第１の周期よりも前記第２の周期が短い場合に、前記第２の変調方式における前記パケットの送信速度を低下させるよう制御する送信速度制御手段とを有する
送信装置。
【請求項４】
請求項３に記載の送信装置であって、
前記送信速度制御手段は、前記エラーが発生していない場合に、前記第２の変調方式における前記送信速度を上昇させるよう制御する
送信装置。
【請求項５】
請求項４に記載の送信装置であって、
前記送信速度制御手段は、前記第２の変調方式における前記送信速度を第１の速度まで上昇させるよう制御することが可能であり、
前記符号付加手段は、前記エラーが発生しておらず、かつ、前記送信速度が前記第１の速度である場合には、前記マルチキャストによる送信時に前記パケットに前記エラー訂正符号を付加しないよう制御する手段を有する
送信装置。
【請求項６】
請求項３に記載の送信装置であって、
前記送信手段は、前記判断手段により前記マルチキャストであると判断された場合に、当該マルチキャストによるパケットの送信に先立ち、前記記録手段に前記エラー情報を記録させるために、前記ユニキャストにより前記受信装置へテスト用のパケットを送信する手段を有する
送信装置。
【請求項７】
ネットワークを介して送信装置からパケットを受信可能な受信装置であって、
前記送信装置から、前記受信中に前記パケットに発生し得るエラーを訂正するためのエラー訂正符号または前記エラーを検出して前記送信装置へ前記パケットの再送要求信号を送信するためのエラー検出符号が付加された前記パケットを受信する受信手段と、
前記受信されたパケットの前記送信装置における送信方式がマルチキャストとユニキャストの何れであるかを判断する判断手段と、
前記マルチキャストであると判断された場合であって、前記エラーが発生した場合に、前記エラー訂正符号に基づき前記エラーを訂正するエラー訂正手段と、
前記ユニキャストであると判断された場合であって、前記エラーが発生した場合に、前記エラー検出符号に基づき前記エラーを検出するとともに、前記再送要求信号を生成するエラー検出手段と
を具備する受信装置。
【請求項８】
送信装置がネットワークを介して少なくとも１つの受信装置へパケットを送信する方法であって、
前記送信すべきパケットの送信方式がマルチキャストとユニキャストの何れであるかを判断し、
前記マルチキャストであると判断された場合に、前記送信中に前記パケットに発生し得るエラーを前記受信装置に訂正させるためのエラー訂正符号を前記パケットに付加し、前記ユニキャストであると判断された場合に、前記受信装置に前記エラーを検出させ当該送信装置へ前記パケットの再送要求信号を送信させるためのエラー検出符号を前記パケットに付加し、
前記エラー訂正符号またはエラー検出符号が付加されたパケットを前記受信装置へ送信する
送信方法。
【請求項９】
受信装置がネットワークを介して送信装置からパケットを受信する方法であって、
前記送信装置から、前記受信中に前記パケットに発生し得るエラーを訂正するためのエラー訂正符号または前記エラーを検出して前記送信装置へ前記パケットの再送要求信号を送信するためのエラー検出符号が付加された前記パケットを受信し、
前記受信されたパケットの前記送信装置における送信方式がマルチキャストとユニキャストの何れであるかを判断し、
前記マルチキャストであると判断された場合であって、前記エラーが発生した場合に、前記エラー訂正符号に基づき前記エラーを訂正し、
前記ユニキャストであると判断された場合であって、前記エラーが発生した場合に、前記エラー検出符号に基づき前記エラーを検出するとともに、前記再送要求信号を生成する
受信方法。
【請求項１０】
ネットワークを介して少なくとも１つの受信装置へパケットを送信可能な送信装置に、
前記送信すべきパケットの送信方式がマルチキャストとユニキャストの何れであるかを判断するステップと、
前記マルチキャストであると判断された場合に、前記送信中に前記パケットに発生し得るエラーを前記受信装置に訂正させるためのエラー訂正符号を前記パケットに付加し、前記ユニキャストであると判断された場合に、前記受信装置に前記エラーを検出させ当該送信装置へ前記パケットの再送要求信号を送信させるためのエラー検出符号を前記パケットに付加するステップと、
前記エラー訂正符号またはエラー検出符号が付加されたパケットを前記受信装置へ送信するステップと
を実行させるためのプログラム。
【請求項１１】
ネットワークを介して送信装置からパケットを受信可能な受信装置に、
前記送信装置から、前記受信中に前記パケットに発生し得るエラーを訂正するためのエラー訂正符号または前記エラーを検出して前記送信装置へ前記パケットの再送要求信号を送信するためのエラー検出符号が付加された前記パケットを受信するステップと、
前記受信されたパケットの前記送信装置における送信方式がマルチキャストとユニキャストの何れであるかを判断するステップと、
前記マルチキャストであると判断された場合であって、前記エラーが発生した場合に、前記エラー訂正符号に基づき前記エラーを訂正するステップと、
前記ユニキャストであると判断された場合であって、前記エラーが発生した場合に、前記エラー検出符号に基づき前記エラーを検出するとともに、前記再送要求信号を生成するステップと
を実行させるためのプログラム。
【手続補正２】
【補正対象書類名】明細書
【補正対象項目名】００１１
【補正方法】変更
【補正の内容】
【００１１】
ここでネットワークとは有線、無線、電灯線等、またはそれらが混在したあらゆるネットワークをいう。また送信装置及び受信装置とは例えばＰＣ（Personal Computer）やテレビジョン、ＤＶＲ（Digital Video Recorder）、ゲーム機器、携帯電話機等の電子機器、またはそれらの電子機器が有するネットワークインタフェース（ＮＩＣ：Network Interface Card）を指す。また、送信装置を、サーバ側の電子機器に接続された、例えば有線伝送路から無線伝送路や電灯線路（ＰＬＣ：Power Line Communications）への変換を行うアクセスポイントとして提供し、受信装置を、このアクセスポイントにアクセス可能でクライアント側の電子機器に接続されたステーションとして提供してもよい。なお、送信装置及び受信装置とはそれぞれ送信専用装置及び受信専用装置を意味するものではなく、送信装置が受信手段を有していてもよいし、受信装置が送信手段を有していてもよい。
また上記エラー訂正符号とは、例えばＦＥＣ等、再送を伴わないエラー訂正方式に基づく符号であり、上記エラー検出符号とは、例えばＡＲＱ等、再送を伴うエラー訂正方式に基づく符号である。また、上記「送信すべきパケット」には、当該送信装置において既に従来のマルチキャスト用のエラー訂正符号が付加されている場合もあるものとし、また、送信装置とは別の、パケットの最初の送信元である他の装置により従来のエラー訂正符号が付加されている場合もあるものとする。
【手続補正３】
【補正対象書類名】明細書
【補正対象項目名】００６８
【補正方法】変更
【補正の内容】
【００６８】
伝送速度が最大でないと判断された場合（Ｎｏ）には、ネットワークインタフェース部１７は、データ２２の変調方式を例えば１２８ＱＡＭから２５６ＱＡＭとするように、ＱＡＭの振幅及び位相の各状態数を１段階上げることにより、無線伝送速度を上昇させる（ステップ６７）。